(57)【特許請求の範囲】
【請求項１】
雄側コネクタの円筒形状に形成された挿入部を雌側コネクタの嵌合孔に挿入して、前記挿入部に形成された雄側接触端子を、前記嵌合孔に形成された雌側接触端子に接触させる電気コネクタの嵌合構造であって、
前記雄側コネクタまたは前記雌側コネクタのいずれか一方のコネクタには、挿抜方向に沿って突出した案内軸が、軸線位置に形成され、
他方のコネクタには、前記案内軸を挿入させて挿抜方向に沿って案内する案内孔が形成され、
前記挿入部の外周面は、先側が円筒面に形成され、基側に凸部が形成され、
前記雌側コネクタに、前記凸部に係止して前記雄側コネクタの軸線回りの回転を規制する係止部が形成された電気コネクタの嵌合構造。
【請求項２】
前記案内軸の先端部は、コネクタの外側に露出している請求項１記載の電気コネクタの嵌合構造。
【請求項３】
前記案内軸は、先側が円筒面に形成され、基側に凸部が形成され、
前記案内孔は、内周面に、前記凸部に係止して前記雄側コネクタの軸線回りの回転を規制する係止溝が形成されている請求項１または２記載の電気コネクタの嵌合構造。
【請求項４】
前記凸部は、歯車状に形成されている請求項１から３のいずれかの項に記載の電気コネクタの嵌合構造。
【請求項５】
円筒形状の第１の接触端子が、前記雄側接触端子または前記雌側接触端子のいずれか一方の接触端子として、前記案内軸と同軸に、１以上配置され、
前記第１の接触端子に接触する他方の接触端子として、第２の接触端子が、前記第１の接触端子に対応させて配置されている請求項１から４のいずれかの項に記載の電気コネクタの嵌合構造。
【請求項６】
前記第１の接触端子が複数設けられているときに、それぞれの前記第１の接触端子は、前記案内軸の先端側から基端側に位置するに従って段々に直径を小さくした請求項５記載の電気コネクタの嵌合構造。
【請求項７】
前記第２の接触端子は、前記第１の接触端子と接触させるために露出させた接触部と、先端部を係止させ、埋め込まれた埋設部とが形成されている請求項５記載の電気コネクタの嵌合構造。
【発明の詳細な説明】
【技術分野】
【０００１】
本発明は、雄側コネクタの円筒形状に形成された挿入部と、挿入部が挿入される嵌合孔を有する雌側コネクタとで構成された電気コネクタの嵌合構造に関するものである。
【背景技術】
【０００２】
エンジンにおける点火栓や予熱栓として機能するグロープラグに用いられるコネクタや、燃焼圧センサとワイヤハーネスとを接続するコネクタなどの電気コネクタは、雄側コネクタが円筒状に形成されている。雄側コネクタの嵌合部分が雌側コネクタに対して回転対称であるため、雄側コネクタの軸線を中心として、どの方向へ雄側コネクタが回転した向きでも雌側コネクタへ挿入できるので、目視できない場所で手探りでも嵌合が容易である。
【０００３】
このような電気コネクタについて、特許文献１，２に記載されたものが知られている。
特許文献１の「多芯丸形のプラグコネクタ及びリセプタクルコネクタ」は、回転対称状のプラグインシュレータに、先端から異なる距離に接触部が位置するようにしたプラグコネクタと、このプラグコネクタが挿入可能な嵌合孔を形成したリセプタクルインシュレータに、それぞれの接触部を嵌合孔の内周面に臨ませるようにしたリセプタクルコネクタとについて記載されている。
【０００４】
また、特許文献２の「グロープラグ」は、絶縁されたケーシングの周囲の外側、または内側に、コネクタ着装時に組込みセンサのセンサ接続部に接触するセンサ接触子が設けられ、ケーシングの中央に、コネクタ着装時にグロープラグの加熱器の大電流接触部に接続される大電流接続部が設けられていることが記載されている。
【先行技術文献】
【特許文献】
【０００５】
【特許文献１】特開平９−３５８２５号公報
【特許文献２】特開２００５−２０７７３０号公報
【発明の概要】
【発明が解決しようとする課題】
【０００６】
しかし、特許文献１に記載の「多芯丸形のプラグコネクタ及びリセプタクルコネクタ」では、プラグコネクタの接触部と接触するリセプタクルコネクタの接触部が嵌合孔の内周面に臨ませるように露出しているので、プラグコネクタを軸線に対して傾斜させてリセプタクルコネクタの嵌合孔へ挿入したり、プラグコネクタの傾斜方向を変えながら抉るようにリセプタクルコネクタの嵌合孔へ挿入したりすると、リセプタクルコネクタの接触部を傷つけてしまうおそれがある。
【０００７】
また、特許文献２の「グロープラグ」では、ケーシングの中央に大電流接続部が設けられているため、コネクタ嵌合時に抉るように挿入した場合に、大電流接続部が雌側コネクタの内周面と擦れて傷つくおそれがある。また、ケーシングの内側にセンサ接触子を設けた場合には、やはり、雌側コネクタの外周面と擦れて傷つくおそれがある。雄側コネクタの接触面が傷つくと、接触信頼性をまねくおそれがある。
【０００８】
そこで本発明は、雄側コネクタの抉り挿入を防止することで接触信頼性を向上させることができる電気コネクタの嵌合構造を提供することを目的とする。
【課題を解決するための手段】
【０００９】
本発明は、雄側コネクタの円筒形状に形成された挿入部を雌側コネクタの嵌合孔に挿入して、前記挿入部に形成された雄側接触端子を、前記嵌合孔に形成された雌側接触端子に接触させる電気コネクタの嵌合構造であって、前記雄側コネクタまたは前記雌側コネクタのいずれか一方のコネクタには、挿抜方向に沿って突出した案内軸が、軸線位置に形成され、他方のコネクタには、前記案内軸を挿入させて挿抜方向に沿って案内する案内孔が形成され、前記挿入部の外周面は、先側が円筒面に形成され、基側に凸部が形成され、前記雌側コネクタに、前記凸部に係止して前記雄側コネクタの軸線回りの回転を規制する係止部が形成されている。
【００１０】
本発明の電気コネクタの嵌合構造は、雄側コネクタまたは雌側コネクタのいずれか一方のコネクタに、挿抜方向に沿って突出した案内軸が形成され、他方のコネクタに、案内軸を挿抜方向に沿って案内する案内孔が形成されているので、案内軸が案内孔に挿入して進行するため、雄側コネクタと雌側コネクタとの軸線が一致した状態で嵌合させることができる。従って、雄側コネクタを軸線に対して傾斜させた状態で雌側コネクタに挿入したり、雄側コネクタを抉るようにして雌側コネクタへ挿入したりする挿入操作が防止できる。また、挿入部の外周面の先側が円筒面であれば、挿入部を軸線回りに回転させながら雌側コネクタに挿入することができ、挿入部の基側の凸部が雌側コネクタの係止部に係止することで、雄側コネクタの軸線回りの回転を規制することができる。従って、雄側コネクタや雌側コネクタの回転により、雌側接触端子と雌側接触端子が摺動することで摩耗したり傷ついたりすることが防止できるので、安定した接触状態を維持することができる。
【００１１】
前記案内軸の先端部は、コネクタの外側に露出しているのが望ましい。案内軸の先端位置が、コネクタの開口位置より突出しているため、案内孔に合わせやすい。
【００１３】
前記案内軸は、先側が円筒面に形成され、基側に凸部が形成され、前記案内孔は、内周面に、前記凸部に係止して前記雄側コネクタの軸線回りの回転を規制する係止溝が形成されているのが望ましい。
案内軸の外周面の先側が円筒面であれば、案内軸を案内孔に案内して軸線回りに回転させながら雌側コネクタに挿入することができ、案内軸の基側の凸部が案内孔の係止溝に係止することで、雄側コネクタの軸線回りの回転を規制することができる。従って、雄側コネクタや雌側コネクタの回転により、雌側接触端子と雌側接触端子が摺動することで摩耗したり傷ついたりすることが防止できるので、安定した接触状態を維持することができる。
【００１４】
前記凸部が、歯車状に形成されていると、雄側コネクタへの挿入の際に雄側コネクタの回転位置を気にすることなく挿入しても、凸部を係止させることができる。従って、雄側コネクタの挿入に際して回転位置の制限を少ないものとすることができる。
【００１５】
円筒形状の第１の接触端子が、前記雄側接触端子または前記雌側接触端子のいずれか一方の接触端子として、前記案内軸と同軸に、１以上配置され、前記第１の接触端子に接触する他方の接触端子として、第２の接触端子が、前記第１の接触端子に対応させて配置されているのが望ましい。雄側接触端子または雌側接触端子のいずれか一方の接触端子として第１の接触端子を円筒形状に形成して、案内軸と同軸に１以上配置し、他方の接触端子である第２の接触端子を、第１の接触端子に対応させて配置すると、雄側コネクタまたは雌側コネクタが軸線回りに回転しても、雄側接触端子と雌側接触端子との接触状態を維持することができる。
【００１６】
前記第１の接触端子が複数設けられているときに、それぞれの前記第１の接触端子は、前記案内軸の先端側から基端側に位置するに従って段々に直径を小さくすると、第１の接触端子は、対となる第２の接触端子以外の第２の接触端子と擦れることなく挿入を進めることができる。
【００１７】
前記第２の接触端子は、前記第１の接触端子と接触させるために露出させた接触部と、先端部を係止させ、埋め込まれた埋設部とが形成されているのが望ましい。第２の接触端子が確実に固定され、第１接触端子との接触信頼性を向上させることができる。また、第２の接触端子を組み立てるときに雌側接触端子が歪んで変形した場合、雌側接触端子が埋め込めなくなる。従って、変形した雌側接触端子が誤って使用されることを防止することができる。
【発明の効果】
【００１８】
本発明の電気コネクタの嵌合構造は、雄側コネクタの案内軸を、雌側コネクタの案内孔に挿入させて挿入方向に案内するので、雄側コネクタを軸線に対して傾斜させた状態で雌側コネクタに挿入したり、雄側コネクタを抉るようにして雌側コネクタへ挿入したりする挿入操作が防止できる。従って、本発明の電気コネクタの嵌合構造は、雄側コネクタの抉り挿入を防止することで接触信頼性を向上させることができる。
【図面の簡単な説明】
【００１９】
【図１】本実施の形態１に係る電気コネクタの雄側コネクタの斜視図である。
【図２】図１に示す雄側コネクタの側面図である。
【図３】図１に示す雄側コネクタの一部を切り欠いた斜視図である。
【図４】図３に示す雄側コネクタの雄側接触端子を示す斜視図である。
【図５】図４に示す雄側接触端子の側面図である。
【図６】図４に示す雄側接触端子の正面図である。
【図７】本実施の形態１に係る電気コネクタの雌側コネクタの側面図である。
【図８】図７に示す雌側コネクタの斜視図である
【図９】図７に示す雌側コネクタの一部を切り欠いた斜視図である。
【図１０】図７に示す雌側コネクタの正面図である。
【図１１】図９に示す雌側接触端子の斜視図である。
【図１２】図１１に示す雌側接触端子の側面図である。
【図１３】図１１に示す雌側接触端子の正面図である。
【図１４】雄側コネクタと雌側コネクタとによる嵌合前の状態を示す断面図であり、図１０に示す雌側コネクタのＢ−Ｂ線断面図である。
【図１５】雄側コネクタと雌側コネクタとによる嵌合後の状態を示す断面図である。
【図１６】図７に示す雌側コネクタのＡ−Ａ線断面図である。
【図１７】図１６に示す雌側コネクタのＣ部拡大図である。
【図１８】本実施の形態２に係る電気コネクタの雄側コネクタの斜視図である。
【図１９】本実施の形態２に係る電気コネクタの雌側コネクタの一部を切り欠いた斜視図である。
【図２０】図１８に示す雄側コネクタと図１９に示す雌側コネクタとが嵌合した状態を示す斜視図である。
【図２１】本実施の形態３に係る電気コネクタの雄側コネクタの一部を切り欠いた斜視図である。
【図２２】本実施の形態３に係る電気コネクタの雌側コネクタの一部を切り欠いた斜視図である。
【発明を実施するための形態】
【００２０】
（実施の形態１）
本発明の実施の形態１に係る電気コネクタの嵌合構造について、図面に基づいて説明する。なお、本明細書における雄側コネクタおよび雌側コネクタの説明においては、嵌合側を前または先側、機器側またはケーブル側を後ろまたは基側としている。
【００２１】
本実施の形態１に係る電気コネクタは、各種のセンサとワイヤハーネスとを接続するために、雄側コネクタと雌側コネクタとで、接触端子が３対形成されたものである。
図１から図３に示す雄側コネクタ１０は、コネクタ本体となるハウジング１１と、ハウジング１１の内周面に形成された雄側接触端子１２と、ハウジング１１の端子収容孔１１１に設けられ、挿入方向に突出した案内軸１３とを備えている。
【００２２】
ハウジング１１は、先端部が開口し、基端部が閉鎖した円筒形状に形成されている。ハウジング１１の内周面（端子収容孔１１１の内周面）は、奥側に向うに従って段階的に内径が狭くなるように形成されている。
ハウジング１１の胴部であって、挿入部１１２の後端には、雌側コネクタの係止爪に係止させて抜け防止を図るための環状溝１１３が全周に渡って形成されている。
【００２３】
雄側接触端子１２は、３段階に変わるハウジング１１の内径（端子収容孔１１１の直径）のそれぞれに合わせて、外径が異なる３端子（雄側接触端子１２ａ〜１２ｃ）を備えている。図４から図６に示す雄側接触端子１２は、円筒形状に形成された端子部１２１と、端子部１２１の基端に接続され、図示しない他の機器と接続される接続部１２２とから形成されている。
端子部１２１は、両端部の円環部１２１ａと、両端部の円環部１２１ａの間を円周方向に沿って所定間隔ごとに繋ぐことで、円周面を形成する接触弾性片１２１ｂとか形成されている。
接続部１２２は、端子部１２１と接続する基端部が、幅方向に折り曲げて板厚を厚くして補強されている。接続部１２２の先端部は、ハウジング１１から突出して他の機器と接続するための端子としている。
図１から図３に示す案内軸１３は、ハウジング１１の挿入部１１２の軸線位置に配置され、挿入方向に突出している。案内軸１３の先端位置は、挿入部１１２の開口位置より突出している。
【００２４】
図７から図１０に示す雌側コネクタ２０は、コネクタ本体となるハウジング２１と、嵌合軸２２と、雌側接触端子２３と、係止部２４と、後部カバー２５とを備えている。
ハウジング２１は、先端部が開口し、基端部が閉鎖した円筒形状に形成されている。ハウジング２１に、円筒形状の挿入部１１２が挿入される断面円形の挿入孔２１１が形成されている。
【００２５】
嵌合軸２２は、挿入孔２１１の軸線位置に形成され、案内軸１３を挿入方向に沿って案内する断面円形の案内孔２２１が形成されている。嵌合軸２２の先端位置は、ハウジング２１の挿入孔２１１の開口位置である。嵌合軸２２の外周面は、奥側に向うに従って段階的に外径が大きくなるように形成されている。本実施の形態１では、雄側接触端子１２ａ〜１２ｃの内径（端子収容孔１１１の直径）に合わせて、嵌合軸２２の先端部、胴部、基端部の順で、外径を大きくした３段階としている。
【００２６】
雌側接触端子２３は、雄側接触端子と接触する直線状の端子片である。雌側接触端子２３は、それぞれが、嵌合軸２２の外周面に、軸線を中心として、それぞれがずれた位置に形成されている。本実施の形態１では、図１０に示すように、雌側接触端子２３ａ〜２３ｃは、雄側接触端子１２のそれぞれに接触させるため、軸線を中心として、先端部、胴部、基端部の外周面に、約１２０°ごとに、接触位置が変わるように配置されている。
雌側接触端子２３は、後部カバー２５を取ったハウジング２１の後端から挿入される。図１１から図１３に示すように、雌側接触端子２３は、平板の側部が折り曲げられて板厚を厚くして補強された端子部２３１と、端子部２３１に接続されたケーブルＣとハウジング２１との隙間を塞ぎ、ハウジング２１内への水の浸入を防止するためのパッキン部２３２とを備えている。
端子部２３１は、断面が略Ｃ字状に形成されている。図１７に示すように、端子部２３１は、雄側接触端子１２と接触させるために、嵌合軸２２から露出させた接触部２３１ａと、嵌合軸２２に埋め込まれた埋設部２３１ｂとを備えている。埋設部２３１ｂの先端部は、外側に開くように折り曲げられて湾曲部２３１ｃが形成されている。
【００２７】
雌側接触端子２３が配置される嵌合軸２２の端子収容孔２２２は、軸線方向に沿って湾曲部２３１ｃが案内される案内溝２２２ａが形成されている。また、端子収容孔２２２には、雌側接触端子２３の挿入を案内すると共に、接触部２３１ａを背面側から支持して、嵌合軸２２の外出面から突き出させると共に、雄側接触端子１２との接触時の接触部２３１ａの弾性を確保するための支持片２２２ｂが形成されている。
【００２８】
図７から図１０に示すように、係止部２４は、ハウジング２１の軸線を中心として挟んだ基側の２ヵ所に配置されている。係止部２４は、雄側コネクタ１０を係止する係止爪２４１と、係止爪２４１をハウジング２１に取り付けるための固定部２４２とを備えている。
係止爪２４１は、略Ｊ字状に形成されて、先端部がハウジング２１の係止孔２１２を挿通している。
後部カバー２５は、ハウジング２１の後端部を覆うカバーである。後部カバー２５は、ハウジング２１の基側に装着されることで、パッキン部２３２を押さえてケーブルＣが抜けないようにしている。
【００２９】
以上のように構成された本発明の実施の形態１に係る電気コネクタの使用状態について、図面に基づいて説明する。
図１４に示すように、雄側コネクタ１０の案内軸１３を雌側コネクタ２０の嵌合軸２２の案内孔２２１に合わせる。案内軸１３の先端位置が、挿入部１１２（ハウジング１１）の開口位置より突出して外側に露出しているため、嵌合軸２２の案内孔２２１に合わせやすい。また嵌合軸２２の先端位置は、ハウジング２１の挿入孔２１１の開口位置であるため、案内軸１３の挿入目標となる嵌合軸２２の案内孔２２１を視認しやすく、視認できない状態でも、挿入しやすい。
案内軸１３の先端が嵌合軸２２の案内孔２２１に挿入できれば、雄側コネクタ１０の軸線が雌側コネクタ２０に対して傾斜した状態であっても、雄側コネクタ１０の挿入を進めるに従って、案内軸１３が嵌合軸２２の案内孔２２１に沿って進行する。
【００３０】
図１５に示すように、案内軸１３が案内孔２２１に挿入して進行するため、雄側コネクタ１０と雌側コネクタ２０との軸線が一致した状態で、雄側コネクタ１０の挿入部１１２が雌側コネクタ２０の挿入孔２１１に挿入され、雌側コネクタ２０の嵌合軸２２が雄側コネクタ１０の端子収容孔１１１に挿入される。
【００３１】
嵌合軸２２の外周面は奥側に向うに従って段階的に外径が大きくなるように形成され、端子収容孔１１１（図３参照）は奥側に向うに従って段階的に狭くなるように形成されている。従って、嵌合軸２２の外周面（雌側接触端子２３）と端子収容孔１１１の内周面（雄側接触端子１２）との間が、一定の隙間が確保された状態で、挿入部１１２が挿入孔２１１内を進行するため、雄側接触端子１２は、対となる雌側接触端子２３以外の雌側接触端子２３と擦れることなく挿入を進めることができる。
雄側コネクタ１０が雌側コネクタ２０に挿入されると、雄側接触端子１２ａ〜１２ｃは雌側接触端子２３ｃ〜２３ａにそれぞれ接触する。
【００３２】
挿入部１１２が挿入孔２１１の奥まで進むと、図９に示す係止部２４の係止爪２４１がハウジング１１の環状溝１１３（図１５参照）に嵌り係止するので、雄側コネクタ１０は雌側コネクタ２０にしっかりと嵌合する。
【００３３】
このように、雄側コネクタ１０が傾斜した状態で雌側コネクタ２０に挿入されても、その姿勢が矯正され、雄側コネクタ１０と雌側コネクタ２０との軸線が一致した状態で挿入することができるので、雄側コネクタ１０を軸線に対して傾斜させた状態で雌側コネクタ２０に挿入したり、雄側コネクタ１０を抉るようにして雌側コネクタ２０へ挿入したりする挿入操作が防止できる。従って、雄側接触端子１２を傷つけたり、雌側接触端子２３を傷つけたりすることなく、雄側コネクタ１０と雌側コネクタ２０とを嵌合することができるので、抉り挿入を防止することで接触信頼性を向上させることができる。
【００３４】
ハウジング１１の挿入部１１２は外周面が円筒形状に形成されているため、雄側コネクタ１０を軸線回りに回転させながら挿入しても、雌側コネクタ２０に挿入することができるので、嵌合作業時間の短縮を図ることができる。また、雄側接触端子１２ａ〜１２ｃが円筒形状に形成されていると共に、案内軸１３と同軸に配置され、雌側接触端子２３ａ〜２３ｃが嵌合軸２２に雄側接触端子１２ｃ〜１２ａに対応させて配置されているため、雄側コネクタ１０または雌側コネクタ２０が軸線回りに回転しても、雄側接触端子１２と雌側接触端子２３との接触状態を維持することができる。
【００３５】
また、図１７に示す雌側接触端子２３の端子部２３１は、埋設部２３１ｂの先端部が外側に開くように折り曲げられて湾曲部２３１ｃが形成され、この湾曲部２３１ｃが端子収容孔２２２の案内溝２２２ａを通じてハウジング２１に挿入されるため、雌側接触端子２３がハウジング２１に確実に係止され、雌側接触端子２３の接触信頼性を向上させることができる。また、湾曲部２３１ｃが端子収容孔２２２の案内溝２２２ａを通じてハウジング２１に挿入されるため、雌側接触端子２３とケーブルＣとの接続の際に端子部２３１が歪んで変形した場合に、湾曲部２３１ｃが案内溝２２２ａに入らなくなる。従って、変形した端子部２３１が誤って使用されることを防止することができるので、良品の雌側接触端子２３だけを選別でき、ハウジング２１へ配置することができる。従って、雌側接触端子２３の接触信頼性を向上させることができる。
【００３６】
なお、本実施の形態１では、雌側接触端子２３の埋設部２３１ｂに湾曲部２３１ｃが形成されているが、湾曲部２３１ｃに限らず雌側接触端子がハウジングに係止されればこの形状に限定されない。また、湾曲部２３１ｃは、両方が離れるように外側へ拡がって開いているが、いずれか一方のみでもよいし、反対にいずれか一方または両方が閉じるように湾曲していてもよい。
【００３７】
（実施の形態２）
本発明の実施の形態２に係る電気コネクタの嵌合構造について、図面に基づいて説明する。なお、図１８から図２０においては、図１から図１７と同じ構成のものは同符号を付して説明を省略する。
本実施の形態２に係る雄側コネクタは、挿入部の外周面として、先側が円筒面に形成され、基側に凸部が形成されており、雌側コネクタに、凸部に引っ掛かり雄側コネクタの軸線回りの回転を規制する係止部が形成されていることを特徴とするものである。
【００３８】
図１８に示すように雄側コネクタ１０ｘはハウジング１１ｘを備えている。ハウジング１１ｘの挿入部１１２ｘの外周面は、先側１１ａが断面円形で凹凸のない円筒面１１４に形成されている。挿入部１１２ｘの基側１１ｂは、挿入方向に沿った直線状凸部１１６が形成されている。直線状凸部１１６が円筒面１１５上の所定間隔ごとに配置されていることで、凸部が歯車状に形成されている。円筒面１１５上に形成された直線状凸部１１６は、先側の外径より突出量が小さく形成されている。
【００３９】
図１９および図２０に示すように、雌側コネクタ２０ｘの係止部２４ｘは、実施の形態１での係止部２４（図８または図９参照）と同様に略Ｊ字状に形成されたものであるが、係止爪２４１ｘの先端が二股に分かれていることで、直線状凸部１１６を爪先で挟み込み係止して、雄側コネクタ１０ｘの軸線回りの回転を規制することができる。なお、係止爪２４１ｘの形状は、先端が二股に分かれている形状に限定されず、先細りのストレート形状とし、隣り合う直線状凸部１１６の間に係止して、雄側コネクタ１０ｘの軸線回りの回転を規制するようにしてもよい。
直線状凸部１１６は、２ヵ所に配置された係止部２４ｘに係止させられれば、係止部２４ｘに対応した数とすることができるが、直線状凸部１１６が歯車状（外歯車状）にハウジング１１ｘの周面全体に、所定間隔ごとに連続して多数設けられているため、雌側コネクタ２０ｘへの挿入の際に雄側コネクタ１０ｘの回転位置を気にすることなく挿入しても、直線状凸部１１６を係止部２４ｘに係止させることができる。また、円筒面１１５上に形成された直線状凸部１１６が、先側の外径より突出量が小さく形成されているため、雄側コネクタ１０ｘの雌側コネクタ２０ｘへの挿入の際に、係止部２４ｘの係止爪２４１ｘが円筒面１１４から直線状凸部１１６に落ち込んで、雄側コネクタ１０ｘと雌側コネクタ２０ｘとの嵌合を完了させることができると共に、抜けを防止することができる。このとき、係止爪２４１ｘ先端が直線状凸部１１６の上部に乗り上げ、係止爪２４１ｘと直線状凸部１１６とが係止していない状態となっていても、雄側コネクタ１０ｘや雌側コネクタ２０ｘが回転すると、係止爪２４１ｘ先端が直線状凸部１１６と係止する状態となり、それ以上の回転を阻止することができる。従って、雄側コネクタ１０ｘの回転位置に際しての制限を無くすことができる。
【００４０】
このように、雄側コネクタ１０ｘと雌側コネクタ２０ｘとを嵌合させたときに、雄側コネクタ１０ｘが回転しないため、雄側コネクタ１０ｘや雌側コネクタ２０ｘの回転により、雄側接触端子１２と雌側接触端子２３が摺動することで摩耗したり傷ついたりすることが防止できるので、安定した接触状態を維持することができる。
また、挿入部１１２ｘの先側１１ａが円筒面１１４に形成されているため、雄側コネクタ１０ｘを軸線回りに回転させながら挿入しても、雌側コネクタ２０ｘに挿入することができるので、嵌合作業時間の短縮を図ることができる。
【００４１】
（実施の形態３）
本発明の実施の形態３に係る電気コネクタの嵌合構造を図面に基づいて説明する。なお、図２１および図２２においては、図１から図２０と同じ構成のものは同符号を付して説明を省略する。
本実施の形態３に係る雄側コネクタは、案内軸の外周面として、先側が円筒面に形成され、基側に凸部が形成されており、案内孔は、内周面に、凸部に係止して雄側コネクタの軸線回りの回転を規制する係止溝が形成されていることを特徴とするものである。
【００４２】
図２１に示すように雄側コネクタ１０ｙは、案内軸１３ｙを備えている。案内軸１３ｙの外周面は、先側１３ａが断面円形で凹凸のない円筒面１３１に形成されている。案内軸１３ｙの基側１３ｂは、挿入方向に沿った直線状凸部１３２が形成されている。直線状凸部１３２が円筒面１３３上の所定間隔ごとに配置されていることで、凸部全体が歯車状に形成されている。
【００４３】
図２２に示すように、雌側コネクタ２０ｙの嵌合軸２２ｙは、案内孔２２１ｙの内周面に案内軸１３ｙの直線状凸部１３２が挿入される係止溝２２１ａが挿入方向に沿って放射状に形成されている。
雄側コネクタ１０ｙの案内軸１３ｙを嵌合軸２２ｙの案内孔２２１ｙへ挿入するときに、案内軸１３ｙの円筒面１３１が挿入された段階では、円筒面１３１は係止溝２２１ａに入らないため、雄側コネクタ１０ｙは軸線回りに回転させることができる。従って、雄側コネクタ１０ｙを軸線回りに回転させながら挿入しても、雌側コネクタ２０ｙに挿入することができるので、嵌合作業時間の短縮を図ることができる。
【００４４】
更に、案内軸１３ｙを案内孔２２１ｙへ奥深く挿入すると、直線状凸部１３２が案内孔２２１ｙの係止溝２２１ａに挿入されることで、直線状凸部１３２が係止溝２２１ａにより挿入方向以外の方向の移動が規制される。従って、雄側コネクタ１０ｙの軸線回りの回転を規制することができる。
【００４５】
直線状凸部１３２と係止溝２２１ａとは、互いに係止させられれば、少なくとも１つあればよいが、直線状凸部１３２が歯車状（外歯車状）に、案内軸１３ｙの周面全体に所定間隔ごとに連続して多数設けられた場合には係止溝２２１ａを少なくとも一つ設けることにより、あるいは、係止溝２２１ａが歯車状（内歯車状）に案内孔２２１ｙの内周面に連続して多数設けられた場合には直線状凸部１３２を少なくとも一つ設けることにより、雌側コネクタ２０ｙへの挿入の際に雄側コネクタ１０ｙの回転位置を気にすることなく挿入しても、直線状凸部１３２を係止溝２２１ａに挿入させることができる。従って、雄側コネクタ１０ｙの挿入に際して回転位置の制限を少ないものとすることができる。
【００４６】
以上、本実施の形態１〜３に係る電気コネクタの嵌合構造について説明した。本実施の形態１〜３に係る電気コネクタでは、雄側コネクタ１０，１０ｘ，１０ｙに案内軸１３，１３ｙが形成され、雌側コネクタ２０，２０ｘ，２０ｙに案内軸１３が挿入する案内孔２２１，２２１ｙが形成されているが、雄側コネクタに案内孔、雌側コネクタに案内軸を形成するようにしてもよい。
第１の接触端子として、円筒形状の雄側接触端子１２が、ハウジング１１，１１ｘの内周面に形成され、第２の接触端子として、端子片である雌側接触端子２３が嵌合軸２２，２２ｙの外周面に形成されているが、雄側接触端子を第２の接触端子として端子片に形成して、ハウジング１１，１１ｘの内周面に配置し、雌接触端子を第１の接触端子として円筒形状に形成して、嵌合軸２２，２２ｙの外周面に同軸に形成してもよい。この場合、ハウジング１１，１１ｘの内周面の内径と、嵌合軸２２，２２ｙの外周面の外径とを、案内軸１３の先端側から基端側に位置するに従って段々に小さくすれば、挿入が完了するまで、雄側接触端子は、対となる雌側接触端子以外の雌側接触端子と擦れることなく挿入を進めることができる。
【００４７】
また、本実施の形態１〜３に係る電気コネクタでは、雄側接触端子１２（１２ａ〜１２ｃ）と雌側接触端子２３（２３ａ〜２３ｃ）とが３対設けられているが、１対でも４対以上でもよい。
また、本実施の形態１〜３に係る電気コネクタでは、雄側コネクタに機器が接続され、雌側コネクタにケーブルが接続されているが、雄側コネクタにケーブルが接続され、雌側コネクタに機器が接続されてもよい。
【産業上の利用可能性】
【００４８】
本発明の電気コネクタの嵌合構造は、グロープラグに用いられるコネクタや、燃焼圧センサとワイヤハーネスとを接続するコネクタなどの電気コネクタや、ケーブル同士を接続する電気コネクタなど、各種電気・電子機器用の電気コネクタ、あるいは車載用の電気コネクタに使用でき、電気・電子産業や自動車産業などの分野において広く利用することができる。
【符号の説明】
【００４９】
１０，１０ｘ，１０ｙ  雄側コネクタ
１１，１１ｘ  ハウジング
１１ａ  先側
１１ｂ  基側
１１１  端子収容孔
１１２，１１２ｘ  挿入部
１１３  環状溝
１１４，１１５  円筒面
１１６  直線状凸部
１２  雄側接触端子
１２ａ〜１２ｃ  雄側接触端子
１２１  端子部
１２１ａ  円環部
１２１ｂ  接触弾性片
１２２  接続部
１３，１３ｙ  案内軸
１３ａ  先側
１３ｂ  基側
１３１  円筒面
１３２  直線状凸部
１３３  円筒面
２０，２０ｘ，２０ｙ  雌側コネクタ
２１  ハウジング
２１１  挿入孔
２１２  係止孔
２２，２２ｙ  嵌合軸
２２１，２２１ｙ  案内孔
２２１ａ  係止溝
２２２  端子収容孔
２２２ａ  案内溝
２２２ｂ  支持片
２３  雌側接触端子
２３ａ〜２３ｃ  雌側接触端子
２３１  端子部
２３１ａ  接触部
２３１ｂ  埋設部
２３１ｃ  湾曲部
２３２  パッキン部
２４，２４ｘ  係止部
２４１，２４１ｘ  係止爪
２４２  固定部
２５  後部カバー
Ｃ  ケーブル
【要約】
【課題】雄側コネクタの抉り挿入を防止することで接触信頼性を向上させることができる電気コネクタの嵌合構造を提供する。
【解決手段】雄側コネクタ１０には、雌側コネクタ２０に挿入される円筒形状の挿入部１１２が形成されたハウジング１１と、ハウジング１１の内周面に形成された円筒形状の雄側接触端子１２と、ハウジング１１の端子収容孔１１１に設けられ、挿入方向に突出した案内軸１３とを備えている。雌側コネクタ２０は、ハウジング２１と、ハウジング２１の挿入孔２１１１に設けられ、案内軸１３が挿入される案内孔２２１が形成された嵌合軸２２と、嵌合軸２２の外周面に形成された雌側接触端子２３とを備えている。雄側コネクタ１０の案内軸１３が、嵌合軸２２の案内孔２２１に挿入され案内されることで、雄側コネクタ１０の抉るような挿入を防止することができる。
【選択図】図１４【図１】
0005454653.tif 000002
【図２】
0005454653.tif 000003
【図３】
0005454653.tif 000004
【図４】
0005454653.tif 000005
【図５】
0005454653.tif 000006
【図６】
0005454653.tif 000007
【図７】
0005454653.tif 000008
【図８】
0005454653.tif 000009
【図９】
0005454653.tif 000010
【図１０】
0005454653.tif 000011
【図１１】
0005454653.tif 000012
【図１２】
0005454653.tif 000013
【図１３】
0005454653.tif 000014
【図１４】
0005454653.tif 000015
【図１５】
0005454653.tif 000016
【図１６】
0005454653.tif 000017
【図１７】
0005454653.tif 000018
【図１８】
0005454653.tif 000019
【図１９】
0005454653.tif 000020
【図２０】
0005454653.tif 000021
【図２１】
0005454653.tif 000022
【図２２】
0005454653.tif 000023